(57)【要約】【課題】基板に伝達される本体の振動を減衰させることができる圧縮機を提供する。【解決手段】作動流体を圧縮するための圧縮機であって、略円筒形状をした本体１と、本体１の下面に設けられた下面支持棒１２と、本体１を支持するために下面支持棒１２を覆うように下面に形成された防振ゴム４と、防振ゴム４を基板７に固定するために下面支持棒１２と対面する位置において基板７を通って防振ゴム４に食い込むように設けられたスタッドボルト８とを具備しており、防振ゴム４は、その下面が基板７と接触し、その上面が本体１の下面と接触するように形成されている。【選択図】  図１
2004353627.tif 000002
【特許請求の範囲】
【請求項１】
作動流体を圧縮するための圧縮機であって、
略円筒形状をした本体と、
前記本体の下面に設けられた下面支持棒と、
前記本体を支持するために前記下面支持棒を覆うように前記下面に形成された下面ゴム材と、
前記下面ゴム材を基板に固定するために前記下面支持棒と対面する位置において前記基板を通って前記下面ゴム材に食い込むように設けられたスタッドボルトとを具備しており、
前記下面ゴム材は、その下面が前記基板と接触し、その上面が前記本体の下面と接触するように形成されていることを特徴とする圧縮機。
【請求項２】
前記ゴム材は、前記作動流体を圧縮するための回転によって生じた振動を減衰させるように形成されている、請求項１記載の圧縮機。
【請求項３】
前記下面支持棒は、前記本体の下面における略中央に設けられている、請求項１記載の圧縮機。
【請求項４】
前記下面ゴム材は、前記下面支持棒および前記スタッドボルトと接触するように形成されている、請求項１記載の圧縮機。
【請求項５】
前記作動流体を圧縮するための回転によって生じた振動を減衰させるために、前記略円筒形状をした本体の側面を囲むように形成された側面ゴム材と、
前記側面ゴム材を支持するように前記基板の上に固定された支持柱とをさらに具備する、請求項１記載の圧縮機。
【請求項６】
前記圧縮機は、インバータ方式の圧縮機である、請求項１記載の圧縮機。
【請求項７】
前記本体の上面に設けられた上面支持棒と、
前記作動流体を圧縮するための回転によって生じた振動を減衰させるために、前記上面支持棒を囲むように形成された上面ゴム材と、
前記上面ゴム材を支持するように側板に固定された支持部材とをさらに具備する、請求項１記載の圧縮機。
【請求項８】
前記本体の上面に設けられた吐出配管をさらに具備する、請求項１記載の圧縮機。
【発明の詳細な説明】
【０００１】
【発明の属する技術分野】
本発明は、作動流体を圧縮するための圧縮機に関し、特に支持部材によって支持される圧縮機に関する。
【０００２】
【従来の技術】
図４は、従来の圧縮機の構成を説明するための部分断面図である。圧縮機は、作動流体を圧縮するための円筒形状をした本体１を備えている。本体１の底面には、３個の取付脚２が本体１から外側へ突出するように設けられている。各取付脚２における本体１の外側には、円形の挿通孔３が形成されている。
【０００３】
挿通孔３には、上下左右方向にクッション性を持たせた略円柱形状の防振ゴム９４が嵌め込まれている。防振ゴム９４は、取付脚２の挿通孔３に係合する上端部５と、本体１を支持するための板金製の基板７に接触する頸部６とを有している。
【０００４】
防振ゴム９４の中心部には、基板７に垂直な方向に沿って穴が形成されている。基板７には、基板に形成された穴と防振ゴム９４の中心部に形成された穴とを挿通するようにスタッドボルト８が設けられている。防振ゴム９４の基板７と反対側には、圧縮機を固定するためにナット９がスタッドボルト８に締め付けられている。
【０００５】
このような構成によって、圧縮機の本体１において発生した振動を防振ゴム９４によって吸収するようにしている（例えば特許文献１参照）。
【０００６】
しかし、図４に示すように構成された圧縮機では、圧縮機の本体１の荷重を３個の防振ゴム９４によって支えるため、圧縮機の本体１に生じた振動は基板７に伝わりやすい。このため、脚の加速度及び配管の応力等を増大する結果を招くという問題がある。
【０００７】
特に、回転数を広範囲に変化させるインバータ方式の圧縮機では、その広範囲に変化する回転数（周波数）に対応しきれないという問題があった。この問題に対して、いろいろな試みが従来から行われており、例えば、図５に示したような一対策案例がある。
【０００８】
図５は、従来の他の圧縮機の構成を説明するための部分断面図である。図４を参照して前述した圧縮機の構成要素と同一の構成要素には同一の参照符号を付している。従って、これらの構成要素の詳細な説明は省略する。
【０００９】
この対策案では、図４を参照して前述した防振ゴム９４の替わりに防振ゴム９４Ａが設けられている。防振ゴム９４Ａには、クッション性を増加させるために、その外周に環状の凸部１０が形成されており、その内周に凹部１１が形成されている。防振ゴム９４Ａは、スタッドボルト８に接触しないように構成されている。このように構成すると、垂直方向に沿った振動を効率よく吸収することができる。
【００１０】
【特許文献１】
特開２００２−８９８８９号公報
【００１１】
【発明が解決しようとする課題】
しかしながら前述した図５に示す構成では、スタッドボルト８と防振ゴム９４Ａと間の間隙が狭いため、インバータ方式に従った圧縮機の広範囲に変化する回転数に対応することができず、スタッドボルト８と防振ゴム９４Ａとが接触することもあって防振上に問題がある。
【００１２】
この問題を解決するためには、防振ゴム９４Ａの硬度を上げることが有効であるが、硬度を上げれば垂直方向に沿った弾性効果が薄らぐために、振動を充分に吸収することができないという問題があった。
【００１３】
本発明の目的は、基板に伝達される本体の振動を減衰させることができる圧縮機を提供することにある。
【００１４】
【課題を解決するための手段】
本発明に係る圧縮機は、作動流体を圧縮するための圧縮機であって、略円筒形状をした本体と、前記本体の下面に設けられた下面支持棒と、前記本体を支持するために前記下面支持棒を覆うように前記下面に形成された下面ゴム材と、前記下面ゴム材を基板に固定するために前記下面支持棒と対面する位置において前記基板を通って前記下面ゴム材に食い込むように設けられたスタッドボルトとを具備しており、前記下面ゴム材は、その下面が前記基板と接触し、その上面が前記本体の下面と接触するように形成されていることを特徴とする。
【００１５】
【発明の実施の形態】
本実施の形態に係る圧縮機においては、本体の下面に設けられた下面支持棒を覆うように下面に形成された下面ゴム材が設けられている。このため、圧縮機の荷重が本体の下面の一点で集中的に支えられるので、基板に伝達される本体の振動が減衰する。その結果、圧縮機の脚加速度および応力を低減することができる。
【００１６】
この実施の形態では、前記ゴム材は、前記作動流体を圧縮するための回転によって生じた振動を減衰させるように形成されていることが好ましい。
【００１７】
前記下面支持棒は、前記本体の下面における略中央に設けられていることが好ましい。
【００１８】
前記下面ゴム材は、前記下面支持棒および前記スタッドボルトと接触するように形成されていることが好ましい。
【００１９】
前記作動流体を圧縮するための回転によって生じた振動を減衰させるために、前記略円筒形状をした本体の側面を囲むように形成された側面ゴム材と、前記側面ゴム材を支持するように前記基板の上に固定された支持柱とをさらに具備することが好ましい。
【００２０】
前記圧縮機は、インバータ方式の圧縮機であることが好ましい。
【００２１】
前記本体の上面に設けられた上面支持棒と、前記作動流体を圧縮するための回転によって生じた振動を減衰させるために、前記上面支持棒を囲むように形成された上面ゴム材と、前記上面ゴム材を支持するように側板に固定された支持部材とをさらに具備することが好ましい。
【００２２】
前記本体の上面に設けられた吐出配管をさらに具備することが好ましい。
【００２３】
以下、図面を参照して本発明の実施の形態を説明する。
【００２４】
（実施の形態１）
図１は、実施の形態１に係る圧縮機の構成を説明するための部分断面図である。圧縮機は、作動流体を圧縮するための円筒形状をした本体１を備えている。本体１の下面における中央には、略円柱形状をした下面支持棒１２が基板７に向かって突出するように設けられている。圧縮機は、本体１を支持するために下面支持棒１２を覆うように本体１の下面に形成された円柱形状の下面ゴム材４を備えている。下面ゴム材４は、その下面が基板７と接触し、その上面が本体１の下面と接触するように形成されている。
【００２５】
下面ゴム材４を基板７に固定するために下面支持棒１２と対面する位置において基板７を通って下面ゴム材４に食い込むようにスタッドボルト８が設けられている。
【００２６】
このように構成された圧縮機においては、本体１が作動流体を圧縮するための運転を開始すると、作動流体を圧縮するための回転に起因する振動が本体１において発生する。本体１において発生した振動は、本体１の下面を通って下面ゴム材４へ伝達される。下面ゴム材４へ伝達された振動は、下面ゴム材４によって減衰する。
【００２７】
以上のように実施の形態１によれば、本体１の下面に設けられた下面支持棒１２を覆うように下面に形成された下面ゴム材４が設けられている。このため、圧縮機の本体１の荷重が本体１の下面の一点で集中的に支えられるので、基板７に伝達される振動が減衰する。その結果、圧縮機の脚加速度および応力を低減することができる。
【００２８】
（実施の形態２）
図２は、実施の形態２に係る圧縮機の構成を説明するための部分断面図である。図１を参照して前述した実施の形態１に係る圧縮機の構成要素と同一の構成要素には同一の参照符号を付している。従って、これらの構成要素の詳細な説明は省略する。
【００２９】
略円筒形状をした本体１の側面には、作動流体を圧縮するための回転によって生じた振動を減衰させるために本体１の側面を囲むように側面ゴム材１３が設けられている。
【００３０】
側面ゴム材１３には、側面ゴム材１３を支持するように基板７の上に固定された複数の支持柱１５が取り付けられている。
【００３１】
このように構成することにより、本体１に生じた振動の回転数を広範囲に変化させるインバータ方式に従った圧縮機に対してでも、その広範囲に変化する回転数（周波数）に対応することができるとともに、製品としての圧縮機を輸送する時に発生する横方向に沿った振動を吸収するための十分な効果を奏することができる。
【００３２】
（実施の形態３）
図３は、実施の形態３に係る圧縮機の構成を説明するための部分断面図である。図１を参照して前述した実施の形態１に係る圧縮機の構成要素と同一の構成要素には同一の参照符号を付している。従って、これらの構成要素の詳細な説明は省略する。
【００３３】
圧縮機の本体１の上面には、吐出配管１６が設けられている。本体１の上面の吐出配管１６とは別の位置には、上面支持棒１７が上方向に向かって突出するように設けられている。上面支持棒１７を密着して囲むように、作動流体を圧縮するための回転によって本体１に生じた振動を減衰させるための上面ゴム材１８が略円筒形状に形成されている。上面ゴム材１８には、上面ゴム材１８を支持するように側板２０に固定された支持部材１９が取り付けられている。
【００３４】
このように構成することにより、圧縮機の本体１に生じた振動の回転数を広範囲に変化させるインバータ方式の圧縮機に対しても、その広範囲に変化する回転数（周波数）に充分対応することができるとともに、製品としての圧縮機を輸送する時に発生する横方向に沿った振動を吸収するための十分な効果を奏することができる。
【００３５】
【発明の効果】
以上のように本発明によれば、基板に伝達される本体の振動を減衰させることができる圧縮機を提供することができる。
【図面の簡単な説明】
【図１】実施の形態１に係る圧縮機の構成を説明するための部分断面図
【図２】実施の形態２に係る圧縮機の構成を説明するための部分断面図
【図３】実施の形態３に係る圧縮機の構成を説明するための部分断面図
【図４】従来の圧縮機の構成を説明するための部分断面図
【図５】従来の他の圧縮機の構成を説明するための部分断面図
【符号の説明】
１  本体
２  取付脚
３  挿通孔
４  防振ゴム
５  上端部
６  頸部
７  基板
８  スタッドボルト
９  ナット
１０  凸部
１１  凹部
１２  下面支持棒
１３  ゴム材
１４  支持部材
１５  支持柱
１６  吐出管
１７  支持棒
１８  ゴム材
１９  支持部材
２０  側板
【図１】
2004353627.tif 000003
【図２】
2004353627.tif 000004
【図３】
2004353627.tif 000005
【図４】
2004353627.tif 000006
【図５】
2004353627.tif 000007